(57)【特許請求の範囲】
【請求項１】
建物内に設置され，室内空気入口側管路及び室内空気出口側管路からなる循環管路と、この循環管路の途中に設けられ，前記室内空気入口側管路及び前記室内空気出口側管路と，室外空気入口側管路及び室外出口側管路がそれぞれ接続される調湿装置と、前記室内空気入口側管路と前記室内空気出口側管路を接続する室内空気バイパス回路と、室内空気バイパス回路開閉バルブと、前記室内空気入口側管路及び前記室内空気出口側管路において前記室内空気バイパス回路の接続部と前記調湿装置の間にそれぞれ設置される室内空気入口側開閉バルブ及び室内空気出口側開閉バルブと、前記室外空気入口側管路及び前記室外空気出口側管路にそれぞれ設置される室外空気入口側開閉バルブ及び室外空気出口側開閉バルブと、前記室外空気入口側管路の前記調湿装置が接続されていない側の端部に上端が接続されるともに下端が開放され，集熱板が前面に配された流通路が形成される太陽熱交換機と、地中へ鉛直方向に埋設され，下端が封止されるとともに上端が前記室内空気出口側管路の前記調湿装置が接続されていない側の端部に接続される外管と，この外管内に所定の隙間をあけて下端が挿設される内管からなる地中熱交換器と、前記建物の床下に設置されるファンユニットと、を備え、前記外管の上部から突出する前記内管の上端は吸気配管を介して前記ファンユニットに接続され、前記調湿装置は、無機質かつ多孔質の吸湿材と，この吸湿材が収納される容器とからなり、前記太陽熱交換機は、前記調湿装置よりも下方に配置され，前記集熱板を介して前記流通路に伝達される熱によって室外空気を前記流通路から前記室外空気入口側管路を経由して前記調湿装置に流入させ，自然循環によって前記室外空気と共に前記吸湿材の湿分を前記室外空気出口側管路から前記建物外へ放出させることを特徴とする建物内の循環調湿機構。
【発明の詳細な説明】
【技術分野】
【０００１】
本発明は、一戸建て住宅、集合住宅、ビルなどの建物に適用することができる建物内の循環調湿機構に関するものであり、更に詳しくは、建物の室内に調湿機能材料を配置し、空気中の湿分の吸着と吸着した湿分を外気に加熱放出することが可能な健康で快適な建物内の循環調湿機構に係わるものである。
【背景技術】
【０００２】
快適な生活空間の環境条件としては、一般的に温度20〜28℃、相対湿度40〜60％程度が最も快適といわれている。
近年、省エネ型の建築物として高気密・高断熱性の建築施工方法が普及するのに伴って，建築物の内部に使用される建材や家具・日常品から発散するホルムアルデヒドやＶＯＣ（トルエン、キシレン、その他）などの揮発性有機化合物が健康に有害な影響を及ぼす「シックハウス症候群」の恐れが指摘されている。
【０００３】
この「シックハウス症候群」対策として建築基準法も改正され、内装建材の使用制限や機械換気設備の設置が義務づけられている。
換気方法については、一般的な方法として給排気ファンによる機械換気設備を用いて天井裏、床下、壁内、収納スペ−スなどと居室を区画して一体的に２４時間換気する方法が提案されている。
【０００４】
しかしながら夏季においては、室内が高温高湿（温度３０℃、相対湿度８０％超）になって室内環境が不快になるため、室内空気の換気や通風を止めて空調設備を駆動することが多くなり、必ずしも本質的な「シックハウス症候群」対策になっているとはいえないのが実状である。また空調設備を駆動するための電力消費量も多くなる。
【０００５】
このため、特に高温高湿（温度３０℃、相対湿度８０％超）室内の空気を調湿可能にする機能を持つ循環調湿機構を持つ低コストの機械換気システムが必要とされている。
【特許文献１】特開2003−106562号公報太陽熱利用の室内調湿システムも提案されているが、補助熱源を必要とし、極めてシステムが複雑である。また室内空気の吸湿・放湿の調湿効率も不充分である。
【発明の開示】
【発明が解決しようとする課題】
【０００６】
本発明はかかる問題点に鑑みてなされたもので、建物の室内に調湿機能材料を配置し、空気中の湿分の吸着と吸着した湿分を外気に加熱放出することが可能な健康で快適な建物内の循環調湿機構を提供せんとするものである。
【課題を解決するための手段】
【０００７】
本発明者は、上記問題に関して鋭意研究を行い、下記の手段で問題を解決できることを見出した。
すなわち、
建物内に設置され，室内空気入口側管路及び室内空気出口側管路からなる循環管路と、この循環管路の途中に設けられ，室内空気入口側管路及び室内空気出口側管路と，室外空気入口側管路及び室外出口側管路がそれぞれ接続される調湿装置と、室内空気入口側管路と室内空気出口側管路を接続する室内空気バイパス回路と、室内空気バイパス回路開閉バルブと、室内空気入口側管路及び室内空気出口側管路において室内空気バイパス回路の接続部と調湿装置の間にそれぞれ設置される室内空気入口側開閉バルブ及び室内空気出口側開閉バルブと、室外空気入口側管路及び室外空気出口側管路にそれぞれ設置される室外空気入口側開閉バルブ及び室外空気出口側開閉バルブと、室外空気入口側管路の調湿装置が接続されていない側の端部に上端が接続されるともに下端が開放され，集熱板が前面に配された流通路が形成される太陽熱交換機と、地中へ鉛直方向に埋設され，下端が封止されるとともに上端が室内空気出口側管路の調湿装置が接続されていない側の端部に接続される外管と，この外管内に所定の隙間をあけて下端が挿設される内管からなる地中熱交換器と、建物の床下に設置されるファンユニットと、を備え、外管の上部から突出する内管の上端は吸気配管を介してファンユニットに接続され、調湿装置は、無機質かつ多孔質の吸湿材と，この吸湿材が収納される容器とからなり、太陽熱交換機は、調湿装置よりも下方に配置され，集熱板を介して流通路に伝達される熱によって室外空気を流通路から室外空気入口側管路を経由して調湿装置に流入させ，自然循環によって室外空気と共に吸湿材の湿分を室外空気出口側管路から建物外へ放出させることを特徴とする建物内の循環調湿機構。
【発明の効果】
【０００８】
本発明は下記の効果を有する。
湿度の高い建物内の空気を連続的に循環調湿することが出来る。
健康・安全・快適な生活ができ、かつ家庭の省エネに有益である。
地球環境改善に多大の貢献をなす。
【発明を実施するための最良の形態】
【０００９】
本発明の構造とその作用機能を図面で説明する。
図１〜６は本発明の全体システムと作用機能を説明する図である。
図１〜３は、室内の湿分の吸着、放出機構を説明する図である。
図１は吸湿機構、図２は吸着した湿分の放出機構を説明する図である。
図３は図１，２の開閉バルブの働きを詳しく説明する図である。
図４は、調湿装置の構造の説明図である。
図５は、太陽熱交換器の構造の説明図である。
図６は、地中熱による調湿機構を本発明に併用した時の説明図である。
【００１０】
先ず、図１〜３によって建物内の空気の循環調湿機構を説明する。
ハウジング３は中に吸湿材を収納した密閉した容器で、循環管路４および屋外空気（外気）の入口、出口の管路がそれぞれ接続されている。湿分を含んだ室内の空気が循環管路４を通ってハウジング３の中に運ばれ、吸湿材で吸着除湿された空気は再び管路４を通って室内に戻される。
太陽熱で暖められた乾いた外気は、外気の入口側管路からハウジング３の中に流入して吸湿材に吸収された湿分を蒸発させて、外気出口側管路から外に放出させる。
図１は専ら室内の空気の湿分を吸収する場合で、外気の入口側、出口側の開閉バルブＢは閉じられている。図２は吸収した室内の湿分を太陽熱で加熱乾燥した外気で蒸発させて外に放出する場合で、ハウジング３に流入、流出する室内空気の管路の開閉バルブは全て閉じられている。
図１で除湿乾燥した空気は管路４から１階、２階の床下に運ばれて循環される。
乾いた空気は１階、２階の床下から上に上昇し、再び図１の管路４に吸引されてハウジング３に送り込まれて一つの循環サイクルが完了する。
【００１１】
図１では吸湿機能のみ、図２では除湿機能のみをバルブの開閉を切り替えて別々の工程で行うように図示しているが、吸湿材の気孔径を微細にし、この吸湿材をハウジングの中に隙間なく密に充填すると、開閉バルブＡの入側、出側および開閉バルブＢをともに全開しても室内の空気と外気が混ざり合わないようになり、吸湿、除湿を同時に行うことが出来る。つまり吸湿を行いながら同時に除湿も行うことが出来るようになる。吸湿除湿を同時に行うための気孔径は100μm以下が好ましい。100μmを越えると室内の空気が外に漏れ出るので好ましくない。
【００１２】
図３は図１，２の除湿、吸湿時の開閉バルブの働きを細かく説明した図である。
吸湿工程
外気の入口、出口のバルブ（開閉バルブＢ−１，２）は全て閉止、外気側バイパス回路Ｂ−３は開く。
室内側バイパス回路（バルブＡ−３）は閉じて、開閉バルブＡ−１、Ａ−２を開く。
湿った室内の空気はファンで吸入されて開閉バルブＡ−１からハウジング３に押し込まれる。
押し込まれた空気は吸湿材で除湿乾燥されて開閉バルブＡ−２から外に押出され、床下に送風される。
床下に送風された乾いた空気は、床上から室内に放出され、室内を上昇して天井の循環管路４に吸入されて再び開閉バルブＡ−１からハウジング３に押し込まれる。この工程を繰り返して建物内の除湿が行われる。
除湿工程
ハウジングの吸湿材の能力が一杯になったら、バルブＡ−１、Ａ−２は閉じ、バイパス回路（Ａ−３）を開く。
バルブＢ−１、Ｂ−２を開き、バイパス回路（Ｂ−３）を閉じる。
外気の高温、乾いた空気をバルブＢ−１からハウジング３に押し込む。
押し込まれた高温の空気は吸湿材を加熱して湿分を蒸発させ、蒸発した水蒸気とともにバルブＢ−２から外に放出される。
この工程を繰り返して吸湿材の除湿が行われる。
除湿が完了すると再びバルブを閉じて吸湿を行う。
【００１３】
調湿装置は、図４に示すように密閉された容器（ハウジング３）の中に吸湿材が収納されており、ハウジング３には、外気の入口側、出口側の管路、および室内の空気の入口側、出口側の管路（循環管路４）が接続されている。
【００１４】
外気の入口側の管路は図５に示す太陽熱交換機に接続されている。
図５は太陽熱交換機の構造を説明するための図で、集熱版の一部（図の上部）を切り欠いで内部の構造を詳しく説明した図である。
太陽熱交換機は、太陽光に面する側に熱伝導性に優れた集熱板を配し、集熱板の裏面に接して空気の流通路が形成されている。流通路の底面から熱が逸散するのを防ぐために、流通路底面は断熱構造になっている。仕切板は空気の流れをかく乱して熱伝導を良くするために千鳥状に配置されている。
空気流通路の下端は開放されており、ここから外気が侵入して上に上昇し、上端で、外気入口側の管路に流入し、ハウジング３に入り、除湿して、ハウジングを出て、外気出口側の管路から外に放出される。
外気の吸入を促進するために外気出口側にファンを取付けてもよいが、必ずしも必須でない。太陽熱交換機は垂直に立設されているので自然通風だけで十分に外気を吸入出来る。
【００１５】
吸湿材には、無機質の多孔質材料が好適である。
上記多孔質の吸湿材の平均気孔径は100μm以下が好ましい。気孔径が100μmを越えると吸着能力が顕著に小さくなり、実質上の湿分吸着材としての実用性がなくなる。
気孔率は高ければ高いほど好ましいが、高すぎると機械的強度が落ちる。概ね30〜90％程度の範囲が好ましい。上限を越えると加工時に欠損等が起こりやすく取り扱いが難しくなる。下限未満では、所定の吸着能力を維持するためにハウジングの中により大量の吸着材を収納する必要が生じ、ハウジングの取付け用の空間が広くなって経済性と実用性の両面で極めて不利である。
【００１６】
吸着材の材質は、通常のセラミックス粉末、たとえば、珪石、炭素粉末、ゼオライト、木櫛粘土、酸化鉄、アルミナ、ジルコニア、チタニア、コ−ジライト、スポジューメン、チタン酸アルミニウム、石英、炭化珪素、窒化珪素粉末を多孔質に成形、焼成したものでもよいが、これらの成形、焼成体は気孔径、気孔率の調整が難しいので、天然の多孔質材、たとえば珪藻土、ゼオライト、石炭灰、溶岩等の粉末、粒体を無機質のバインダーで結合させて任意の形状に仕上げた物を利用すると良い。
また、上記したような材質の異なる天然多孔質材を適当な割合で配合ブレンドしてバインダーで結合させて複合機能をもった吸着材を使用することも可能である。
これら天然の材料は本発明が必要とする気孔径、気孔率の条件を満足させることが出来る。無機質のバインダーには、通常使用されているバインダーは全て利用できる。たとえば珪酸塩化合物、リン酸塩化合物、各種ゾル等、これら全てが利用できる。
【００１７】
図６は、本発明に更に地中熱を併用して調湿する場合の実施例に関する説明図である。
地中熱は四季を通じて一定しているので、地中パイプを埋設することによって概ね一定の地中温度(15〜20℃)の地中熱を利用することが出来る。
【００１８】
本発明においては、調湿材の吸着容量が飽和に達して放湿工程に切り替えた場合、つまり、バルブＡ−１、Ａ−２は閉じ、バイパス回路（Ａ−３）を開いている場合には、この間室内の空気は除湿されなくなる。この時は地中熱を利用した除湿を行うと常時室内の除湿が出来ることとなる。
図６において、バイパス回路（Ａ−３）を通った湿分を含んだ空気は循環管路４を通って下降し、ジオパイプと称せられる地中熱交換器のパイプの中を通って建物の床下に設置したファンユニットによって吸入される。
ジオパイプは、図に示すように二重管構造であり、先端が封止された外管の中に内管が差し込まれた構造で、内管の先端は開放されており、外管と内管の間には適当な隙間が存在する状態で地中に垂直に埋め込まれている。
空気流は外管の穴から外管と内管の隙間に入り、隙間を下降して下端の封止部に衝突し
て方向を変えて内管を上昇する構造になっている。内管の上部は吸気配管によってファンユニットに接続されている。
【００１９】
外管表面は四季を通じて地中熱温度(15〜20℃）に保持されており、通過空気は地中熱によって熱交換される。
例えば、夏季の場合には、外気温度30〜35℃の空気が26〜28℃前後に冷却され、パイプ内面では空気中の水分が結露して第１段目の除湿が行われる。パイプの底部に溜まった結露水はポンプで吸い上げて屋外に排出する。
また冬季の場合では、外気温度５〜10℃の空気が12〜16℃前後に乾燥され、パイプ内面では空気中の水分が蒸発して加湿される。
【００２０】
これら湿分を多く含む空気を効率よく冷却・除湿するためには、予め埋設すべき地下パイプの設置本数を増やすか或いは埋設地下パイプを長くすれば解決されるが、コスト高になって経済的でない。
【００２１】
梅雨期における空気は特に高温多湿であり、地中熱によって冷却・除湿されたとはいっても必ずしも充分ではなく、未だ多くの湿分が含まれているため不快な状態のままである。
これら湿分を多く含む空気を効率よく冷却・除湿するため、夏季にはファンユニットの排出側に冷たい地下水を通水して冷却する熱交換機（水流）を設置し、この熱交換機に湿分を多く含む空気を接触させて熱交換することによって空気を再度冷却・除湿する。
地下水の温度は四季を通じて地中熱温度(15〜20℃）と同じであり、この地下水を熱交換機に通すことによって上述した地下パイプの設置本数を増やすか或いは埋設地下パイプを長くことと同等の効果を得ることが出来る。
【００２２】
水流熱交換機に循環させる液体の熱媒体には、上述したように、夏季には地下水が最
も好ましく、冬季には、暖かい地下水や太陽熱温水器の温水或いはボイラ−で加温した温水などを通水しても良い。これらは必要に応じて適宜組合せて使用しても良い。たとえば温水器の温水で加温したフィンプレ−トとボイラー温水で加温したフィンプレ−トを別々に設置して循環空気を加温するようにしても良い。
【００２３】
水流熱交換機で再度冷却・徐湿された空気は、複数の穴のあいた吸気パイプを通してぐり石の充填層に吹き出すようになっている。グリ石は、直径50〜100mmの石を、１階床下に地表面から40〜50cmの堆積厚さに積んだものである。堆積層の上面は土間コンクリ−トの基礎床或いは床面で気密されている。
また堆積層の底面には地中からの湿分の上昇を防止するためのコンクリ−ト又は防湿シートが敷かれており、地中からの湿分の上昇は防止する構造になっている。
【００２４】
堆積されたグリ石とグリ石の間には隙間が存在し、吹出された冷却空気はこのグリ石の
隙間の中を通過するときにもグリ石の蓄熱効果によって保温されている。
ラジエタ−を通過した空気はこのグリ石の蓄熱効果を受けて夏季には26〜28℃、冬季には12〜16℃の温度に保持されている。
グリ石の堆積層の隙間を通り過ぎた空気流は、GEO炭と称せられる木炭或いはセラミック炭と接触しながら床下から１階室内に送られていく。
【００２５】
以上のような機構で、ファンユニットで吸い込まれた外気は地中熱による第１段目の冷却と除湿、水流熱交換機による第２段目の冷却と除湿が行われ、床下に排出される空気は除湿乾燥された温調並びに調湿された空気と成る。
【図面の簡単な説明】
【００２６】
【図１】図１は、吸湿機構を説明する図である。
【図２】図２は、吸着した湿分の放出機構を説明する図である。
【図３】図３は、図１，２の開閉バルブの働きを詳しく説明する図である。
【図４】図４は、調湿装置の構造の説明図である。
【図５】図５は、太陽熱交換器の構造の説明図である。
【図６】図６は、地中熱による調湿機構を本発明に併用した時の説明図である。
【符号の説明】
【００２７】
３…ハウジング        ４…循環管路
【図１】
0004744802.tif 000002
【図２】
0004744802.tif 000003
【図３】
0004744802.tif 000004
【図４】
0004744802.tif 000005
【図５】
0004744802.tif 000006
【図６】
0004744802.tif 000007